【手続補正書】
【提出日】平成18年9月20日(2006.9.20)
【手続補正１】
【補正対象書類名】明細書
【補正対象項目名】特許請求の範囲
【補正方法】変更
【補正の内容】
【特許請求の範囲】
【請求項１】  
印刷ジョブに含まれるページをプレビュー画面の枠内にプレビュー表示する印刷制御方法であって、
前記印刷ジョブに含まれるページから所定の方向に対する最大の長さを認識する認識工程と、
前記認識工程によって認識された所定の方向の最大の長さに応じて、前記所定の方向に対して最大の長さを有するページが前記枠内に収まるような縮尺を決定する決定工程と、
前記決定工程によって決定された前記縮尺に基づいて、前記印刷ジョブに含まれる複数のページを変倍する変倍工程と、
前記変倍工程によって変倍された複数のページの画像をプレビュー画像として表示部に表示する表示工程とを有し、
前記決定工程によって決定された縮尺は、前記印刷ジョブに含まれる複数のページの組合せの変更に応じて変更され、
前記変倍工程は、それぞれのページの相対的なサイズの関係を維持するように変倍することを特徴とする印刷制御方法。
【請求項２】
前記印刷ジョブからページの削除が行われた場合には、改めて前記印刷ジョブに含まれるページのうち最大の長さを有するページを認識し、該最大の長さを有するページが前記枠内に収まるような縮尺で、前記印刷ジョブに含まれる複数のページをプレビュー画像として表示することを特徴とする請求項１に記載の印刷制御方法。
【請求項３】
前記最大の長さを有するページが前記枠内に収まるような縮尺とは、前記最大の長さを有するページの縦方向の長さが、前記枠の縦の長さよりも小さくなるような縮尺であることを特徴とする請求項１または２に記載の印刷制御方法。
【請求項４】
前記枠内に表示されたページが指示された場合に、指示されたページのサイズを表示させることを特徴とする請求項１乃至３のいずれか１項に記載の印刷制御方法。
【請求項５】
前記格納された印刷ジョブを印刷させる工程をさらに備えることを特徴とする請求項１乃至４のいずれか１項に記載の印刷制御方法。
【請求項６】
印刷ジョブごとの印刷データを格納する格納工程をさらに備えることを特徴とする請求項１乃至５のいずれか１項に記載の印刷制御方法。
【請求項７】
印刷ジョブに含まれる複数種類のページサイズを認識する認識工程と、
前記認識工程によって認識された複数種類のページサイズに基づいて、プレビュー画像を表示するための変倍率を決定する決定工程と、
前記決定工程によって決定された前記変倍率に基づいて、前記印刷ジョブに含まれる各ページを変倍する変倍工程と、
前記変倍工程によって変倍された複数のページのプレビュー画像を表示する表示工程とを有し、
前記変倍率は、前記印刷ジョブに含まれる複数のページの組合せに応じて変更され、
前記複数のページは、複数のページ間のサイズの関係を維持しながら前記変倍工程により変倍されることを特徴とする印刷制御方法。
【請求項８】
前記決定工程は、前記複数種類のページサイズから所定の方向に最大サイズを有するページサイズに基づいて、変倍率を決定することを特徴とする請求項７に記載の印刷制御方法。
【請求項９】
前記決定工程は、前記印刷ジョブからページが消去された場合、印刷ジョブに含まれるページから最大の長さを有するページを再認識し、当該再認識された最大の長さを有するページが枠内に納まるような変倍率を決定し、
前記枠内に収まる最大サイズのページの変倍率とは、最大サイズのページの縦方向の長さのほうが枠の縦方向の長さよりも短くなる変倍率であることを特徴とする請求項８に記載の印刷制御方法。
【請求項１０】
前記表示工程は、枠内に収まって表示されたページが指定された場合、その指定されたページのサイズを表示することを特徴とする請求項７乃至９のいずれか１項に記載の印刷制御方法。
【請求項１１】  
印刷ジョブに含まれるページをプレビュー画面の枠内にプレビュー表示する印刷制御装置であって、
前記印刷ジョブに含まれるページから所定の方向に対する最大の長さを認識する認識手段と、
前記認識手段によって認識された所定の方向の最大の長さに応じて、前記所定の方向に対して最大の長さを有するページが前記枠内に収まるような縮尺を決定する決定手段と、
前記決定手段によって決定された前記縮尺に基づいて、前記印刷ジョブに含まれる複数のページを変倍する変倍手段と、
前記変倍手段によって変倍された複数のページの画像をプレビュー画像として表示部に表示する表示手段とを有し、
前記決定手段によって決定された縮尺は、前記印刷ジョブに含まれる複数のページの組合せの変更に応じて変更され、
前記変倍手段は、それぞれのページの相対的なサイズの関係を維持するように変倍することを特徴とする印刷制御装置。
【請求項１２】
前記印刷ジョブからページの削除が行われた場合には、改めて前記印刷ジョブに含まれるページのうち最大の長さを有するページを認識し、該最大の長さを有するページが前記枠内に収まるような縮尺で、前記印刷ジョブに含まれる複数のページをプレビュー画像として表示することを特徴とする請求項１１に記載の印刷制御装置。
【請求項１３】
前記最大の長さを有するページが前記枠内に収まるような縮尺とは、前記最大の長さを有するページの縦方向の長さが、前記枠の縦の長さよりも小さくなるような縮尺であることを特徴とする請求項１１または１２に記載の印刷制御装置。
【請求項１４】
前記枠内に表示されたページが指示された場合に、指示されたページのサイズを表示させることを特徴とする請求項１１乃至１３のいずれか１項に記載の印刷制御装置。
【請求項１５】
前記格納された印刷ジョブを印刷させる手段をさらに備えることを特徴とする請求項１１乃至１４のいずれか１項に記載の印刷制御装置。
【請求項１６】
印刷ジョブごとの印刷データを格納する格納手段をさらに備えることを特徴とする請求項１１乃至１５のいずれか１項に記載の印刷制御装置。
【請求項１７】
印刷ジョブに含まれる複数種類のページサイズを認識する認識手段と、
前記認識手段によって認識された複数種類のページサイズに基づいて、プレビュー画像を表示するための変倍率を決定する決定手段と、
前記決定手段によって決定された前記変倍率に基づいて、前記印刷ジョブに含まれる各ページを変倍する変倍手段と、
前記変倍手段によって変倍された複数のページのプレビュー画像を表示する表示手段とを有し、
前記変倍率は、前記印刷ジョブに含まれる複数のページの組合せに応じて変更され、
前記複数のページは、複数のページ間のサイズの関係を維持しながら前記変倍手段により変倍されることを特徴とする印刷制御装置。
【請求項１８】
前記決定手段は、前記複数種類のページサイズから所定の方向に最大サイズを有するページサイズに基づいて、変倍率を決定することを特徴とする請求項１７に記載の印刷制御装置。
【請求項１９】
前記決定手段は、前記印刷ジョブからページが消去された場合、印刷ジョブに含まれるページから最大の長さを有するページを再認識し、当該再認識された最大の長さを有するページが枠内に納まるような変倍率を決定し、
前記枠内に収まる最大サイズのページの変倍率とは、最大サイズのページの縦方向の長さのほうが枠の縦方向の長さよりも短くなる変倍率であることを特徴とする請求項１８に記載の印刷制御装置。
【請求項２０】
前記表示手段は、枠内に収まって表示されたページが指定された場合、その指定されたページのサイズを表示することを特徴とする請求項１７乃至１９のいずれか１項に記載の印刷制御装置。
【請求項２１】  
コンピュータを、印刷ジョブに含まれるページをプレビュー画面の枠内にプレビュー表示する印刷制御装置として機能させるプログラムを記録したコンピュータ可読記録媒体であって、前記プログラムは、
前記印刷ジョブに含まれるページから所定の方向に対する最大の長さを認識する認識手段と、
前記認識手段によって認識された所定の方向の最大の長さに応じて、前記所定の方向に対して最大の長さを有するページが前記枠内に収まるような縮尺を決定する決定手段と、
前記決定手段によって決定された前記縮尺に基づいて、前記印刷ジョブに含まれる複数のページを変倍する変倍手段と、
前記変倍手段によって変倍された複数のページの画像をプレビュー画像として表示部に表示する表示手段としてコンピュータを機能させ、
前記決定手段によって決定された縮尺は、前記印刷ジョブに含まれる複数のページの組合せの変更に応じて変更され、
前記変倍手段は、それぞれのページの相対的なサイズの関係を維持するように変倍することを特徴とするプログラムを記録したコンピュータ可読記録媒体。
【請求項２２】
前記プログラムは、前記印刷ジョブからページの削除が行われた場合には、改めて前記印刷ジョブに含まれるページのうち最大の長さを有するページを認識し、該最大の長さを有するページが前記枠内に収まるような縮尺で、前記印刷ジョブに含まれる複数のページをプレビュー画像として表示することを特徴とする請求項２１に記載のコンピュータ可読記録媒体。
【請求項２３】
前記最大の長さを有するページが前記枠内に収まるような縮尺とは、前記最大の長さを有するページの縦方向の長さが、前記枠の縦の長さよりも小さくなるような縮尺であることを特徴とする請求項２１または２２に記載のコンピュータ可読記録媒体。
【請求項２４】
前記プログラムは、前記枠内に表示されたページが指示された場合に、指示されたページのサイズを表示させることを特徴とする請求項２１乃至２３のいずれか１項に記載のコンピュータ可読記録媒体。
【請求項２５】
前記プログラムは、前記格納された印刷ジョブを印刷させる手段をさらに備えることを特徴とする請求項２１乃至２４のいずれか１項に記載のコンピュータ可読記録媒体。
【請求項２６】
前記プログラムは、印刷ジョブごとの印刷データを格納する格納手段をさらに備えることを特徴とする請求項２１乃至２５のいずれか１項に記載のコンピュータ可読記録媒体。
【請求項２７】
プログラムを記録したコンピュータ可読記録媒体であって、前記プログラムは、
印刷ジョブに含まれる複数種類のページサイズを認識する認識手段と、
前記認識手段によって認識された複数種類のページサイズに基づいて、プレビュー画像を表示するための変倍率を決定する決定手段と、
前記決定手段によって決定された前記変倍率に基づいて、前記印刷ジョブに含まれる各ページを変倍する変倍手段と、
前記変倍手段によって変倍された複数のページのプレビュー画像を表示する表示手段としてコンピュータを機能させ、
前記変倍率は、前記印刷ジョブに含まれる複数のページの組合せに応じて変更され、
前記複数のページは、複数のページ間のサイズの関係を維持しながら前記変倍手段により変倍されることを特徴とするプログラムを記録したコンピュータ可読記録媒体。
【請求項２８】
前記決定手段は、前記複数種類のページサイズから所定の方向に最大サイズを有するページサイズに基づいて、変倍率を決定することを特徴とする請求項２７に記載のコンピュータ可読記録媒体。
【請求項２９】
前記決定手段は、前記印刷ジョブからページが消去された場合、印刷ジョブに含まれるページから最大の長さを有するページを再認識し、当該再認識された最大の長さを有するページが枠内に納まるような変倍率を決定し、
前記枠内に収まる最大サイズのページの変倍率とは、最大サイズのページの縦方向の長さのほうが枠の縦方向の長さよりも短くなる変倍率であることを特徴とする請求項２８に記載のコンピュータ可読記録媒体。
【請求項３０】
前記表示手段は、枠内に収まって表示されたページが指定された場合、その指定されたページのサイズを表示することを特徴とする請求項２７乃至２９のいずれか１項に記載のコンピュータ可読記録媒体。
【手続補正２】
【補正対象書類名】明細書
【補正対象項目名】０００７
【補正方法】変更
【補正の内容】
【０００７】
【課題を解決するための手段】
上記目的を達成するために本発明は次のような構成からなる。すなわち、
印刷ジョブに含まれるページをプレビュー画面の枠内にプレビュー表示する印刷制御方法であって、
前記印刷ジョブに含まれるページから所定の方向に対する最大の長さを認識する認識工程と、
前記認識工程によって認識された所定の方向の最大の長さに応じて、前記所定の方向に対して最大の長さを有するページが前記枠内に収まるような縮尺を決定する決定工程と、
前記決定工程によって決定された前記縮尺に基づいて、前記印刷ジョブに含まれる複数のページを変倍する変倍工程と、
前記変倍工程によって変倍された複数のページの画像をプレビュー画像として表示部に表示する表示工程とを有し、
前記決定工程によって決定された縮尺は、前記印刷ジョブに含まれる複数のページの組合せの変更に応じて変更され、
前記変倍工程は、それぞれのページの相対的なサイズの関係を維持するように変倍する。
【手続補正３】
【補正対象書類名】明細書
【補正対象項目名】０００８
【補正方法】変更
【補正の内容】
【０００８】
他の側面によれば本発明は以下の構成からなる。すなわち、
印刷ジョブに含まれる複数種類のページサイズを認識する認識工程と、
前記認識工程によって認識された複数種類のページサイズに基づいて、プレビュー画像を表示するための変倍率を決定する決定工程と、
前記決定工程によって決定された前記変倍率に基づいて、前記印刷ジョブに含まれる各ページを変倍する変倍工程と、
前記変倍工程によって変倍された複数のページのプレビュー画像を表示する表示工程とを有し、
前記変倍率は、前記印刷ジョブに含まれる複数のページの組合せに応じて変更され、
前記複数のページは、複数のページ間のサイズの関係を維持しながら前記変倍工程により変倍される。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】